(57)【特許請求の範囲】
【請求項１】
店舗の売上金を回収する集配業者が現金決済及び電子決済による売上金を効率的に店舗に送金する売上金送金システムであって、
店舗に設置され、売上金である現金を収納すると共に、集配業者の統合決済サーバに現金決済した現金売上データを送信する貨幣処理機と、
店舗に設置され、電子決済した電子売上データを個人情報データ、店舗情報データと共にデータセンターの収集処理サーバに送信する決済端末と、
データセンターに設置され、
前記決済端末から電子売上データ、個人情報データ、店舗情報データを受信し、電子売上データを時系列順に収集し、電子売上データ一覧Ｔ１を作成する決済端末データ受信部と、
各店舗、各カード等運営業者の情報を一覧として記憶させた一般端末テーブルと、
電子売上データ一覧Ｔ１の各カード等運営業者に対応する電子売上データ、個人情報データ、店舗情報データを各カード等運営業者に送信する一般通信処理部と、
この売上金送金システムを利用するサービス契約を締結した契約店舗の情報を一覧として記憶させた契約端末テーブルと、
前記一般端末テーブルを参照して電子売上データを店舗毎に区分して並び替え、電子売上データ一覧Ｔ２を作成し、この電子売上データ一覧Ｔ２中から前記契約端末テーブルを参照して各契約店舗に対応する電子売上データ、個人情報データ、店舗情報データを抽出する契約店舗判定部と、
電子決済した当日のうちに、各契約店舗に対応する電子売上データ、個人情報データ、店舗情報データを電子決済サーバに送信する契約店舗通信処理部と、
から構成される収集処理サーバと、
集配業者に設置され、
前記収集処理サーバから契約店舗に対応する電子売上データ、個人情報データ、店舗情報データを受信する契約店舗データ受信部と、
契約店舗毎に電子売上データを取り纏め、さらに、カード等運営業者毎に電子売上データを集計し、契約店舗毎の電子売上データ一覧Ｔ３を作成し、店舗毎カードデータ管理部に保存する端末別集計部と、
前記契約店舗毎の電子売上データ一覧Ｔ３に基づいて、契約店舗毎に電子売上データを合計し、契約店舗への電子売上振込データを作成する振込データ処理部と、
前記契約店舗毎の電子売上データ一覧Ｔ３に基づいて、契約店舗毎に電子売上閲覧データを作成する閲覧データ処理部と、
前記電子売上振込データ及び前記電子売上閲覧データを統合決済サーバに送信する通信処理部と、
から構成される電子決済サーバと、
集配業者に設置され、
前記貨幣処理機から現金売上データ、店舗情報データを受信する貨幣処理機データ受信部と、
現金売上データを契約店舗毎に区分して、各契約店舗への現金売上送金データを作成する入金処理部と、
前記電子決済サーバから契約店舗毎の電子売上データ一覧Ｔ３の形態で、契約店舗に対応する電子売上データ、個人情報データ、店舗情報データを受信する電子決済サーバデータ受信部と、
契約店舗毎の電子売上データを集計し、各契約店舗への電子売上送金データ一覧Ｔ４を作成する端末別集計部と、
前記現金売上送金データ及び前記電子売上送金データを保存する店舗毎データ管理部と、
前記店舗毎データ管理部に保存された電子売上送金データ及び現金売上送金データをデータ処理し、契約店舗毎に電子売上送金データ及び現金売上送金データを、通信処理部を介して翌日には閲覧できるようにした閲覧データ処理部と、
から構成される統合決済サーバと、
から構成したことを特徴とする売上金送金システム。
【請求項２】
前記統合決済サーバは、さらに、
前記店舗毎データ管理部に保存された電子売上送金データ及び現金売上送金データを契約店舗毎に合算して各契約店舗への売上金送金データを作成し、この売上金送金データに基づいて、通信処理部を介して、集配業者の銀行等の口座から各契約店舗の銀行等の口座へ、電子決済及び現金決済による売上金を振り込む指令を送信する振込データ処理部と、
から構成したことを特徴とする請求項１に記載の売上金送金システム。
【請求項３】
前記電子決済サーバは、さらに、
電子決済による売上から所定日後、各カード等運営業者から、売上金振込データを受信するカード会社現金入金データ受信部と、
前記店舗毎カードデータ管理部に保存された契約店舗毎の電子売上データ一覧Ｔ３に、前記売上金振込データを記載する入金処理部と、
前記契約店舗毎の電子売上データ一覧Ｔ３における契約店舗毎の電子売上データと、各カード等運営業者から受信した売上金振込データとを照合して、電子売上データの現金入金による消し込み処理を行う消込処理部と、
消し込み処理に基づく入金情報データを作成し、通信処理部を介して前記統合決済サーバに送信する入金／報告処理部と、
から構成し、
前記統合決済サーバは、さらに、
前記電子決済サーバから消し込み処理に基づく入金情報データを受信し、この入金情報データを前記店舗毎データ管理部に保存する電子決済現金入金データ受信部と、
から構成したことを特徴とする請求項１又は２に記載の売上金送金システム。
【請求項４】
店舗の売上金を回収する集配業者が現金決済及び電子決済による売上金を効率的に店舗に送金する売上金送金システムが実行する売上金送金方法であって、
店舗に設置された貨幣処理機から、集配業者の統合決済サーバに現金決済した現金売上データを送信するステップと、
店舗に設置された決済端末から、電子決済した電子売上データを個人情報データ、店舗情報データと共にデータセンターの収集処理サーバに送信するステップと、
データセンターに設置された収集処理サーバにおいて、
その決済端末データ受信部によって、前記決済端末から電子売上データ、個人情報データ、店舗情報データを受信し、電子売上データを時系列順に収集し、電子売上データ一覧Ｔ１を作成するステップと、
その一般通信処理部によって、電子売上データ一覧Ｔ１の各カード等運営業者に対応する電子売上データ、個人情報データ、店舗情報データを各カード等運営業者に送信するステップと、
その契約店舗判定部によって、各店舗、各カード等運営業者の情報を一覧として記憶させた一般端末テーブルを参照して、電子売上データを店舗毎に区分して並び替え、電子売上データ一覧Ｔ２を作成し、この売上金送金システムを利用するサービス契約を締結した契約店舗の情報を一覧として記憶させた契約端末テーブルを参照して、この電子売上データ一覧Ｔ２中から、各契約店舗に対応する電子売上データ、個人情報データ、店舗情報データを抽出するステップと、
その契約店舗通信処理部によって、電子決済した当日のうちに、各契約店舗に対応する電子売上データ、個人情報データ、店舗情報データを電子決済サーバに送信するステップと、
集配業者に設置された電子決済サーバにおいて、
その契約店舗データ受信部によって、前記収集処理サーバから契約店舗に対応する電子売上データ、個人情報データ、店舗情報データを受信するステップと、
その端末別集計部によって、契約店舗毎に電子売上データを取り纏め、さらに、カード等運営業者毎に電子売上データを集計し、契約店舗毎の電子売上データ一覧Ｔ３を作成し、店舗毎カードデータ管理部に保存するステップと、
その振込データ処理部によって、前記契約店舗毎の電子売上データ一覧Ｔ３に基づいて、契約店舗毎に電子売上データを合計し、契約店舗への電子売上振込データを作成するステップと、
その閲覧データ処理部によって、前記契約店舗毎の電子売上データ一覧Ｔ３に基づいて、契約店舗毎に電子売上閲覧データを作成するステップと、
その通信処理部によって、前記電子売上振込データ及び前記電子売上閲覧データを統合決済サーバに送信するステップと、
集配業者に設置された統合決済サーバにおいて、
その貨幣処理機データ受信部によって、前記貨幣処理機から現金売上データ、店舗情報データを受信するステップと、
その入金処理部によって、現金売上データを契約店舗毎に区分して、各契約店舗への現金売上送金データを作成するステップと、
その電子決済サーバデータ受信部によって、前記電子決済サーバから契約店舗毎の電子売上データ一覧Ｔ３の形態で、契約店舗に対応する電子売上データ、個人情報データ、店舗情報データを受信するステップと、
その端末別集計部によって、契約店舗毎の電子売上データを集計し、各契約店舗への電子売上送金データ一覧Ｔ４を作成するステップと、
その店舗毎データ管理部によって、前記現金売上送金データ及び前記電子売上送金データを保存するステップと、
その閲覧データ処理部によって、前記店舗毎データ管理部に保存された電子売上送金データ及び現金売上送金データをデータ処理し、契約店舗毎に電子売上送金データ及び現金売上送金データを、通信処理部を介して翌日には閲覧できるようするステップと、
を有することを特徴とする売上金送金方法。
【請求項５】
前記統合決済サーバにおいて、さらに、
その振込データ処理部によって、前記店舗毎データ管理部に保存された電子売上送金データ及び現金売上送金データを契約店舗毎に合算して各契約店舗への売上金送金データを作成し、この売上金送金データに基づいて、通信処理部を介して、集配業者の銀行等の口座から各契約店舗の銀行等の口座へ、電子決済及び現金決済による売上金を振り込む指令を送信するステップと、
を有することを特徴とする請求項４に記載の売上金送金方法。
【請求項６】
前記電子決済サーバにおいて、さらに、
そのカード会社現金入金データ受信部によって、電子決済による売上から所定日後、各カード等運営業者から、売上金振込データを受信するステップと、
その入金処理部によって、前記店舗毎カードデータ管理部に保存された契約店舗毎の電子売上データ一覧Ｔ３に、前記売上金振込データを記載するステップと、
その消込処理部によって、前記契約店舗毎の電子売上データ一覧Ｔ３における契約店舗毎の電子売上データと、各カード等運営業者から受信した売上金振込データとを照合して、電子売上データの現金入金による消し込み処理を行うステップと、
その入金／報告処理部によって、消し込み処理に基づく入金情報データを作成し、通信処理部を介して前記統合決済サーバに送信するステップと、
を有すると共に、
前記統合決済サーバにおいて、さらに、
電子決済現金入金データ受信部によって、前記電子決済サーバから消し込み処理に基づく入金情報データを受信し、この入金情報データを前記店舗毎データ管理部に保存するステップと、
を有することを特徴とする請求項４又は５に記載の売上金送金方法。
【発明の詳細な説明】
【技術分野】
【０００１】
本発明は、コンビニエンスストア、スーパーマーケット、ドラッグストア、ガソリンスタンド等、多数の営業店を展開する運営会社から委託されて店舗の売上金を回収する現金集配業者が、現金決済及びクレジットカード決済による売上金を効率的に店舗に送金する売上金送金システム及び売上金送金方法に関する。
【背景技術】
【０００２】
従来、コンビニエンスストア、スーパーマーケット、ドラッグストア、ガソリンスタンド等においては、図１１に示すように、利用者が現金で支払った場合には、店長が店舗に設置してある貨幣処理機に現金を投入して蓄積しておく。そして、適宜時期に集配業者が貨幣処理機から現金を回収すると共に、釣り銭等の運用資金を店舗に配金していく。
ここで、現金処理については、貨幣処理機から集配業者に設置してあるサーバに即日のうちに現金売上データが送信され、当該サーバにおいて回収した現金及び現金売上データが処理される。よって、翌日には、当日の現金売上データを店舗に送信して、店長が閲覧できると共に、売上金を店舗の口座に送金するようになっている（特許文献１参照）。
【０００３】
一方、図１１に示すように、利用者がクレジットカード、デビットカード、電子マネー等で支払った場合には、店員が店舗に設置してある決済端末によってクレジットカード等のデータを読み取る。そして、決済端末から売上データが運営会社のデータセンターに送信され、データセンターにおいて、売上データが収集、処理されて、クレジットカード、デビットカード、電子マネー等の運営会社に売上データが送信される。
そして、クレジットカード、デビットカード、電子マネー等の運営会社は、電子決済による売上データを処理して、１５日後に、電子決済の売上データを書面で店舗に通知すると共に、電子決済による売上金を店舗の口座に送金するようになっている。
【０００４】
【特許文献１】特開２０１３−１０５１９８号公報
【発明の開示】
【発明が解決しようとする課題】
【０００５】
上記のように、従来、現金決済に関しては、店舗の店長は、翌日には、当日の現金売上データを閲覧できると共に、売上金を店舗の口座に送金して貰うことができたから、極めて都合が良かった。
しかし、電子決済に関しては、店舗の店長は、１５日後にならないと、電子決済の売上データを閲覧できず、又、売上金も店舗の口座に入金して貰うことができず、店舗の売上処理までに時間がかかると共に、資金調達に不安を抱く要因となっていた。
【０００６】
よって、現金決済と電子決済との経理処理は非常に煩雑なものとなっており、店舗の店長にとっては、経理処理が面倒で、時間のかかるものとなっていた。
そのため、クレジットカード、デビットカード、電子マネー等の決済を認めない店舗も数多くあり、電子決済を推進する障害となっていた。
【０００７】
本発明は、かかる従来の問題点に鑑みて為されたものであって、電子決済に関する処理を早めて、現金及び電子決済の売上データを同時に閲覧でき、又、現金及び電子決済の売上金も同時に店舗の口座に入金して貰うことができ、店舗の売上処理までに時間がかからず、資金調達にも不安を抱かない売上金送金システム及び売上金送金方法を提供することを目的とする。
【０００８】
これによって、売上処理、資金調達等についての店舗の負担を軽減し、クレジットカード、デビットカード、電子マネー等の決済を促進できる売上金送金システム及び売上金送金方法を提供することをも目的とする。
【課題を解決するための手段】
【０００９】
上記目的を達成するために、本発明の売上金送金システムは、
店舗に設置され、売上金である現金を収納すると共に、集配業者の統合決済サーバに現金決済した現金売上データを送信する貨幣処理機と、
店舗に設置され、電子決済した電子売上データを個人情報データ、店舗情報データと共にデータセンターの収集処理サーバに送信する決済端末と、
データセンターに設置され、
前記決済端末から電子売上データ、個人情報データ、店舗情報データを受信し、電子売上データを時系列順に収集し、電子売上データ一覧Ｔ１を作成する決済端末データ受信部と、
各店舗、各カード等運営業者の情報を一覧として記憶させた一般端末テーブルと、
電子売上データ一覧Ｔ１の各カード等運営業者に対応する電子売上データ、個人情報データ、店舗情報データを各カード等運営業者に送信する一般通信処理部と、
この売上金送金システムを利用するサービス契約を締結した契約店舗の情報を一覧として記憶させた契約端末テーブルと、
前記一般端末テーブルを参照して電子売上データを店舗毎に区分して並び替え、電子売上データ一覧Ｔ２を作成し、この電子売上データ一覧Ｔ２中から前記契約端末テーブルを参照して各契約店舗に対応する電子売上データ、個人情報データ、店舗情報データを抽出する契約店舗判定部と、
電子決済した当日のうちに、各契約店舗に対応する電子売上データ、個人情報データ、店舗情報データを電子決済サーバに送信する契約店舗通信処理部と、
から構成される収集処理サーバと、
集配業者に設置され、
前記収集処理サーバから契約店舗に対応する電子売上データ、個人情報データ、店舗情報データを受信する契約店舗データ受信部と、
契約店舗毎に電子売上データを取り纏め、さらに、カード等運営業者毎に電子売上データを集計し、契約店舗毎の電子売上データ一覧Ｔ３を作成し、店舗毎カードデータ管理部に保存する端末別集計部と、
前記契約店舗毎の電子売上データ一覧Ｔ３に基づいて、契約店舗毎に電子売上データを合計し、契約店舗への電子売上振込データを作成する振込データ処理部と、
前記契約店舗毎の電子売上データ一覧Ｔ３に基づいて、契約店舗毎に電子売上閲覧データを作成する閲覧データ処理部と、
前記電子売上振込データ及び前記電子売上閲覧データを統合決済サーバに送信する通信処理部と、
から構成される電子決済サーバと、
集配業者に設置され、
前記貨幣処理機から現金売上データ、店舗情報データを受信する貨幣処理機データ受信部と、
現金売上データを契約店舗毎に区分して、各契約店舗への現金売上送金データを作成する入金処理部と、
前記電子決済サーバから契約店舗毎の電子売上データ一覧Ｔ３の形態で、契約店舗に対応する電子売上データ、個人情報データ、店舗情報データを受信する電子決済サーバデータ受信部と、
契約店舗毎の電子売上データに契約店舗毎の手数料の合計データをも集計し、各契約店舗への電子売上送金データ一覧Ｔ４を作成する端末別集計部と、
前記現金売上送金データ及び前記電子売上送金データを保存する店舗毎データ管理部と、
前記店舗毎データ管理部に保存された電子売上送金データ及び現金売上送金データをデータ処理し、契約店舗毎に電子売上送金データ及び現金売上送金データを、通信処理部を介して翌日には閲覧できるようにした閲覧データ処理部と、
から構成される統合決済サーバと、
から構成したことを特徴とする。
【００１０】
又、前記統合決済サーバは、さらに、
前記店舗毎データ管理部に保存された電子売上送金データ及び現金売上送金データを契約店舗毎に合算して各契約店舗への売上金送金データを作成し、この売上金送金データに基づいて、通信処理部を介して、集配業者の銀行等の口座から各契約店舗の銀行等の口座へ、電子決済及び現金決済による売上金を振り込む指令を送信する振込データ処理部と、
から構成したことを特徴とする。
又、前記電子決済サーバは、さらに、
電子決済による売上から所定日後、各カード等運営業者から、売上金振込データを受信するカード会社現金入金データ受信部と、
前記店舗毎カードデータ管理部に保存された契約店舗毎の電子売上データ一覧Ｔ３に、前記売上金振込データを記載する入金処理部と、
前記契約店舗毎の電子売上データ一覧Ｔ３における契約店舗毎の電子売上データと、各カード等運営業者から受信した売上金振込データとを照合して、電子売上データの現金入金による消し込み処理を行う消込処理部と、
消し込み処理に基づく入金情報データを作成し、通信処理部を介して前記統合決済サーバに送信する入金／報告処理部と、
から構成し、
前記統合決済サーバは、さらに、
前記電子決済サーバから消し込み処理に基づく入金情報データを受信し、この入金情報データを前記店舗毎データ管理部に保存する電子決済現金入金データ受信部と、
から構成してもよい。
【００１１】
又、本発明の売上金送金方法は、
店舗に設置された貨幣処理機から、集配業者の統合決済サーバに現金決済した現金売上データを送信するステップと、
店舗に設置された決済端末から、電子決済した電子売上データを個人情報データ、店舗情報データと共にデータセンターの収集処理サーバに送信するステップと、
データセンターに設置された収集処理サーバにおいて、
その決済端末データ受信部によって、前記決済端末から電子売上データ、個人情報データ、店舗情報データを受信し、電子売上データを時系列順に収集し、電子売上データ一覧Ｔ１を作成するステップと、
その一般通信処理部によって、電子売上データ一覧Ｔ１の各カード等運営業者に対応する電子売上データ、個人情報データ、店舗情報データを各カード等運営業者に送信するステップと、
その契約店舗判定部によって、各店舗、各カード等運営業者の情報を一覧として記憶させた一般端末テーブルを参照して、電子売上データを店舗毎に区分して並び替え、電子売上データ一覧Ｔ２を作成し、この売上金送金システムを利用するサービス契約を締結した契約店舗の情報を一覧として記憶させた契約端末テーブルを参照して、この電子売上データ一覧Ｔ２中から、各契約店舗に対応する電子売上データ、個人情報データ、店舗情報データを抽出するステップと、
その契約店舗通信処理部によって、電子決済した当日のうちに、各契約店舗に対応する電子売上データ、個人情報データ、店舗情報データを電子決済サーバに送信するステップと、
集配業者に設置された電子決済サーバにおいて、
その契約店舗データ受信部によって、前記収集処理サーバから契約店舗に対応する電子売上データ、個人情報データ、店舗情報データを受信するステップと、
その端末別集計部によって、契約店舗毎に電子売上データを取り纏め、さらに、カード等運営業者毎に電子売上データを集計し、契約店舗毎の電子売上データ一覧Ｔ３を作成し、店舗毎カードデータ管理部に保存するステップと、
その振込データ処理部によって、前記契約店舗毎の電子売上データ一覧Ｔ３に基づいて、契約店舗毎に電子売上データを合計し、契約店舗への電子売上振込データを作成するステップと、
その閲覧データ処理部によって、前記契約店舗毎の電子売上データ一覧Ｔ３に基づいて、契約店舗毎に電子売上閲覧データを作成するステップと、
その通信処理部によって、前記電子売上振込データ及び前記電子売上閲覧データを統合決済サーバに送信するステップと、
集配業者に設置された統合決済サーバにおいて、
その貨幣処理機データ受信部によって、前記貨幣処理機から現金売上データ、店舗情報データを受信するステップと、
その入金処理部によって、現金売上データを契約店舗毎に区分して、各契約店舗への現金売上送金データを作成するステップと、
その電子決済サーバデータ受信部によって、前記電子決済サーバから契約店舗毎の電子売上データ一覧Ｔ３の形態で、契約店舗に対応する電子売上データ、個人情報データ、店舗情報データを受信するステップと、
その端末別集計部によって、契約店舗毎の電子売上データに契約店舗毎の手数料の合計データをも集計し、各契約店舗への電子売上送金データ一覧Ｔ４を作成するステップと、
その店舗毎データ管理部によって、前記現金売上送金データ及び前記電子売上送金データを保存するステップと、
その閲覧データ処理部によって、前記店舗毎データ管理部に保存された電子売上送金データ及び現金売上送金データをデータ処理し、契約店舗毎に電子売上送金データ及び現金売上送金データを、通信処理部を介して翌日には閲覧できるようするステップと、
を有することを特徴とする。
又、前記統合決済サーバにおいて、さらに、
その振込データ処理部によって、前記店舗毎データ管理部に保存された電子売上送金データ及び現金売上送金データを契約店舗毎に合算して各契約店舗への売上金送金データを作成し、この売上金送金データに基づいて、通信処理部を介して、集配業者の銀行等の口座から各契約店舗の銀行等の口座へ、電子決済及び現金決済による売上金を振り込む指令を送信するステップと、
を有することを特徴とする。
又、前記電子決済サーバにおいて、さらに、
そのカード会社現金入金データ受信部によって、電子決済による売上から所定日後、各カード等運営業者から、売上金振込データを受信するステップと、
その入金処理部によって、前記店舗毎カードデータ管理部に保存された契約店舗毎の電子売上データ一覧Ｔ３に、前記売上金振込データを記載するステップと、
その消込処理部によって、前記契約店舗毎の電子売上データ一覧Ｔ３における契約店舗毎の電子売上データと、各カード等運営業者から受信した売上金振込データとを照合して、電子売上データの現金入金による消し込み処理を行うステップと、
その入金／報告処理部によって、消し込み処理に基づく入金情報データを作成し、通信処理部を介して前記統合決済サーバに送信するステップと、
を有すると共に、
前記統合決済サーバにおいて、さらに、
電子決済現金入金データ受信部によって、前記電子決済サーバから消し込み処理に基づく入金情報データを受信し、この入金情報データを前記店舗毎データ管理部に保存するステップと、
を有するようにしてもよい。
【発明の効果】
【００１２】
本発明の売上金送金システム及び売上金送金方法によれば、現金決済及び電子決済の売上データを同時に閲覧できて、店舗における事務処理の効率化を図ることができる。
【００１３】
又、現金決済及び電子決済の売上金も同時に店舗の口座に入金して貰うことができ、早期に現金化することができるから、店舗における資金運用負担を軽減することができる。
【００１４】
さらに、店舗のクレジットカード、デビットカード、電子マネー等の電子決済の導入を促進できて、利用者の利便性も向上することができる。
【図面の簡単な説明】
【００１５】
【図１】本発明の売上金送金システムの概念図である。
【図２】図１に示す決済端末の構成図である。
【図３】図１に示す貨幣処理機の構成図である。
【図４】図１に示す収集処理サーバの構成図である。
【図５】図１に示す電子決済サーバの構成図である。
【図６】図１に示す統合決済サーバの構成図である。
【図７】収集処理サーバにおいて各店舗から収集された電子決済データの一覧である。
【図８】収集処理サーバにおいて契約店舗について抽出した電子決済データの一覧である。
【図９】電子決済サーバにおいて契約店舗毎に集計した電子決済データの一覧である。
【図１０】統合決済サーバにおいて契約店舗毎に電子決済データと現金決済データとを集計して抽出した売上データの一覧である。
【図１１】従来の売上金送金システムの概念図である。
【発明を実施するための形態】
【００１６】
本発明の売上金送金システムの好適な実施形態について、以下、図面を参照して詳細に説明する。
【００１７】
本発明の売上金送金システムは、図１に示すように、店舗２に設置された決済端末２１と、貨幣処理機２２と、データセンター３に設置された収集処理サーバ３１と、集配業者５に設置された電子決済サーバ５１と、統合決済サーバ５３と、から構成される。
【００１８】
決済端末２１は、店舗２に設置され、図２に示すような構成を有する。そして、利用者１がクレジットカード、デビットカード、電子マネーＣ等によって電子決済した売上データを、個人情報データ、店舗情報データと共にデータセンター３の収集処理サーバ３１に送信する。
【００１９】
決済端末２１においては、商品又はサービスの代金支払いの際に、店舗２の店員は、利用者１から提示されたクレジットカード、デビットカード、電子マネーＣ等をリーダ・ライタ（Ｒ／Ｗ）２１１によって記憶情報を読み取る。又、店舗２の店員は、商品又はサービスの代金をリーダ・ライタ（Ｒ／Ｗ）２１１に書き込む。
【００２０】
これによって、通信制御部２１２の指令によって、通信部２１５を介してクレジットカード、デビットカード、電子マネーＣ等のカード等運営業者４のホストコンピュータに接続され、判定処理部２１３によって、提示されたクレジットカードＣ等が適正であり、使用可能であるか判定される。
【００２１】
クレジットカードＣ等が適正であり、使用可能であれば、商品又はサービスの代金が売上データとして、個人情報データ、店舗情報データと共にメモリ２１４に記憶され、通信制御部２１２の指令によって、通信部２１５を介してデータセンター３の収集処理サーバ３１に、それらデータが送信される。
【００２２】
貨幣処理機２２は、店舗２に設置され、図３に示すような構成を有する。そして、利用者１が現金決済によって支払った現金Ｍを収納、処理すると共に、当日のうちに、現金決済した売上データを統合決済サーバ５２に送信する。
【００２３】
商品又はサービスの代金支払いの際に、店舗２の店員は、キャッシュレジスタによって商品又はサービスの代金を計算した上、利用者１から現金を受領すると共に、釣り銭を返却する。そして、キャッシュレジスタに収納した現金Ｍは、店舗２の店長又は責任者が貨幣処理機２２に投入する。
【００２４】
貨幣処理機２２においては、店長等が操作部２２１を操作すると、制御部２２２の指令によって現金が処理される。硬貨は、硬貨処理部２２３によって計数、分別され、又、紙幣は、紙幣処理部２２４によって計数、分別され、それぞれカセット部２２５の適宜部所に収納される。そして、回収される現金は、貨幣回収部２２７に収納される。
【００２５】
現金Ｍの計数、分別が完了すると、制御部２２２の指令によって、当日のうちに、その現金売上データは店舗情報データと共に、通信処理部２２６を介して、集配業者５の本社等に設置された統合決済サーバ５３に送信される。
【００２６】
一方、集配業者５は、所定日数毎に定期的に各店舗２を巡回して、各店舗２に釣り銭を配金すると共に、各店舗２の貨幣処理機２２の貨幣回収部２２７から、現金である売上金を回収する。
【００２７】
収集処理サーバ３１は、データセンター３に設置され、図４に示すような構成を有する。そして、各店舗２の決済端末２１から電子売上データ、個人情報データ、店舗情報データを受信し、それらデータを時系列順に収集し、カード等運営業者４毎に仕訳して、カード等運営業者４に送信する。
【００２８】
本発明は、この収集処理サーバ３１の構成及び機能に特徴がある。収集処理サーバ３１においては、決済端末データ受信部３１１によって、各店舗２の決済端末２１から、電子売上データ、個人情報データ、店舗情報データを受信する。
そして、図７に示すように、電子売上データを時系列順に収集し、電子売上データ一覧Ｔ１を作成する。
【００２９】
端末テーブル３１２には、各店舗２、各カード等運営業者４等の情報が一覧になって記憶されているから、電子売上データ一覧Ｔ１の各カード等運営業者４に対応する電子売上データ、個人情報データ、店舗情報データを、通信処理部３１５を介して各カード等運営業者４のホストコンピュータに送信する。
【００３０】
又、端末テーブル３１２を参照して、図８に示すように、電子売上データを店舗２毎に区分して並び替え、電子売上データ一覧Ｔ２を作成する。
ここで、各店舗２の決済端末２１には固有の端末番号Ａ１が付与されているから、端末番号Ａ１毎に区分し、電子売上データを並び替えることによって、電子売上データ一覧Ｔ２を作成することができる。
【００３１】
又、契約端末テーブル３１３には、本発明の売上金送金システムを利用するサービス契約を締結した店舗２の情報が一覧になって記憶されている。よって、契約店舗判定部３１４によって、契約端末テーブル３１３を参照して、電子売上データ一覧Ｔ２の中から、各契約店舗２に対応する電子売上データ、個人情報データ、店舗情報データを抽出し、当日のうちに、契約店舗通信部３１６を介して電子決済サーバ５１に送信する。
【００３２】
電子決済サーバ５１は、集配業者５の本社等に設置され、図５に示すような構成を有する。そして、収集処理サーバ３１から受信した、契約店舗２に対応する電子売上データ、個人情報データ、店舗情報データを処理し、契約店舗２毎のデータに取り纏めた上、さらに、カード等運営業者４毎に集計する。
【００３３】
本発明は、この電子決済サーバ５１の構成及び機能にも特徴がある。電子決済サーバ５１においては、契約店舗データ受信部５１１によって、収集処理サーバ３１から、契約店舗２に対応する電子売上データ、個人情報データ、店舗情報データを受信する。
【００３４】
そして、端末別集計部５１２によって、契約店舗２毎の電子売上データに取り纏め、さらに、カード等運営業者４毎に電子売上データを集計し、図９に示すように、契約店舗２毎の電子売上データ一覧Ｔ３を作成し、店舗毎カードデータ管理部５１３に保存する。
【００３５】
そして、振込データ処理部５１４によって、契約店舗２毎の電子売上データ一覧Ｔ３に基づいて、契約店舗２毎に電子売上データを合計し、契約店舗２への電子売上振込データを作成する。
又、閲覧データ処理部５１５によって、契約店舗２毎の電子売上データ一覧Ｔ３に基づいて、契約店舗２毎に電子売上閲覧データを作成する。
【００３６】
これら契約店舗２への電子売上振込データ及び契約店舗２毎の電子売上閲覧データは、通信処理部５１６を介して統合決済サーバ５３に送信される。
【００３７】
一方、電子決済サーバ５１は、カード会社現金入金データ受信部５１７を介して、電子決済による売上から数日後、例えば１５日後に、各カード等運営業者４から、売上金振込データを受信する。
【００３８】
この売上金振込データは、入金処理部５１８によって、店舗毎カードデータ管理部５１３に保存された契約店舗２毎の電子売上データ一覧Ｔ３に記載される。
【００３９】
そして、消込処理部５１９によって、契約店舗２毎の電子売上データ一覧Ｔ３における契約店舗２毎の電子売上データと、各カード等運営業者４から受信した売上金振込データとを照合して、電子売上データの現金入金による消し込み処理を行う。
【００４０】
そして、入金／報告処理部５２０によって、消し込み処理に基づく入金情報データが作成され、通信処理部５１６を介して統合決済サーバ５３に送信される。
【００４１】
統合決済サーバ５３は、集配業者５の本社等に設置され、図６に示すような構成を有する。そして、電子決済サーバ５１から受信した電子決済による売上データと、貨幣処理機２２から受信した現金決済による売上データと、を契約店舗２毎に集計して、各契約店舗２への売上金送金データを作成する。
【００４２】
本発明は、この統合決済サーバ５３の構成及び機能にも特徴がある。統合決済サーバ５３においては、電子決済サーバデータ受信部５１１によって、電子決済サーバ５１から、契約店舗毎の電子売上データ一覧Ｔ３の形態で、契約店舗２に対応する電子売上データ、個人情報データ、店舗情報データを受信する。
【００４３】
そして、端末別集計部５３２によって、契約店舗２毎の電子売上データに、さらに、契約店舗２毎の手数料の合計データをも集計し、各契約店舗２への電子売上送金データ一覧Ｔ４を作成する。
【００４４】
一方、貨幣処理機データ受信部５３４によって、貨幣処理機２２から、契約店舗２に対応する現金売上データ、店舗情報データを受信する。
【００４５】
そして、入金処理部５３５によって、現金売上データを契約店舗２毎に区分して、各契約店舗２への現金売上送金データを作成する。
【００４６】
これら各契約店舗２への電子売上送金データ及び現金売上送金データは、店舗毎データ管理部５３３に保存される。
【００４７】
そして、振込データ処理部５３６によって、店舗毎データ管理部５３３に保存された電子売上送金データと現金売上送金データとを契約店舗２毎に合算して、各契約店舗２への売上金送金データを作成する。
【００４８】
そして、この売上金送金データに基づいて、通信処理部５３８を介して、集配業者５の銀行等の口座から各契約店舗２の銀行等の口座へ、電子決済及び現金決済による売上金を振り込む指令を送信する。これによって、各契約店舗２の銀行等の口座には、早期に現金が振り込まれることになる。
尚、振り込まれた金額は、現金決済による売上げと電子決済による売上げとに整理されて、明細として契約店舗２に通知される。
【００４９】
又、閲覧データ処理部５３７によって、契約店舗２毎に、自己の電子売上送金データ及び現金売上送金データを閲覧できるようにデータ処理する。
【００５０】
よって、各契約店舗２の店長又は責任者は、店舗２のコンピュータ等から統合決済サーバ５３にアクセスすることによって、現金決済及び電子決済による売上データを早期に閲覧できることになる。
【００５１】
一方、電子決済現金入金データ受信部５３９は、電子決済サーバ５１から、消し込み処理に基づく電子決済による入金情報データを受信し、この入金情報データは、店舗毎データ管理部５３３に保存される。よって、集配業者５は、立て替えて送金した電子決済による現金がカード等運営業者４から入金された日時、金額等の情報を知ることができる。
【００５２】
又、貨幣処理機現金入金データ受信部５４０は、集配業者５が口座を開設している銀行等から、各契約店舗２の貨幣処理機２２から回収した現金の入金情報を受信し、この入金情報データは、店舗毎データ管理部５３３に保存される。よって、集配業者５は、現金決済による売上データと、回収した現金の入金情報とを照合して、売上データの現金回収による消し込みを行なうことができる。
【００５３】
本発明の売上金送金システムは、以上のような構成なので、統合決済サーバ５３における集計結果に基づいて、翌日には、集配業者５の銀行等の口座から各契約店舗２の銀行等の口座へと現金決済及び電子決済による売上金が同時に送金されるから、契約店舗２は、売上金を早期に現金化することができ、店舗２における資金運用負担を大幅に軽減することができる。
【００５４】
又、各契約店舗２の店長は、統合決済サーバ５３にアクセスすることによって、翌日には、現金決済及び電子決済による売上データを同時に閲覧することができるから、店舗２における経理処理等の事務処理を極めて効率化することができる。
【００５５】
さらに、各契約店舗２にとっては、クレジットカード等の利用明細の管理、現金入金による消込確認等の事務処理についても、大幅な効率化を図ることができる。
【００５６】
尚、上記実施形態においては、集配業者５の銀行等の口座から各店舗２の銀行等の口座へと現金決済及び電子決済による売上金を同時に送金するようにしたが、電子決済による売上金は、多少遅れて、数日後に集配業者５の口座から送金するようにしてもよい。
【００５７】
この場合であっても、電子決済による売上データは、従来に比して早期に閲覧することができるから、各店舗２における経理処理等の事務処理を極めて効率化することができる上、各店舗２は、売上金を比較的早期に現金化することができ、店舗２における資金運用負担を軽減することができる。
【符号の説明】
【００５８】
１  利用者
２  店舗
２１  決済端末
２２  貨幣処理機
３  データセンター
３１  収集処理サーバ
４  カード等運営業者
５  集配業者
５１  電子決済サーバ
５３  統合決済サーバ
【図１】
0006563734.tif 000002
【図２】
0006563734.tif 000003
【図３】
0006563734.tif 000004
【図４】
0006563734.tif 000005
【図５】
0006563734.tif 000006
【図６】
0006563734.tif 000007
【図７】
0006563734.tif 000008
【図８】
0006563734.tif 000009
【図９】
0006563734.tif 000010
【図１０】
0006563734.tif 000011
【図１１】
0006563734.tif 000012